(57)【要約】【課題】光ディスクを取り出す際に、カバーからトレイが抜けるときに貫通孔の外周部とターンテーブルの頭部とが干渉して、ターンテーブルの頭が貫通孔に入り込んで抜けなくなることをなくした薄型の光ディスク装置を提供することを目的とする。【解決手段】光ディスク装置において、光ディスクをトレイにはめたりはずしたりする目的で、光ディスク装置のカバー１よりトレイ２を抜き出す際に、上カバー１ａに設けた貫通孔４１の抜き出し側の端部の位置より貫通孔４１の中心側方向の位置にて、ターンテーブル７上端部と上カバー１ａに設けた貫通孔４１が接するようにした。【選択図】図３
2006085798.tif 000002
【特許請求の範囲】
【請求項１】
カバーと、
前記カバーに設けられた開口部と、
前記開口部から挿抜自在に設けられたトレイと、
前記トレイに設けられ前記トレイを前記カバーに収納した時に前記開口部を塞ぐベゼルと、
前記トレイに設けられ駆動回路により回転するスピンドルモータと、
前記スピンドルモータと連結するターンテーブルと、
を備えた光ディスク装置であって、
前記カバーは、上カバーおよび下カバーを有し、
前記上カバーは、前記トレイを前記カバーに収納した時に前記ターンテーブルの上端部と対向する位置に貫通孔を有し、
前記貫通孔は、前記ターンテーブル上端部を包含する大きさを有し、
前記貫通孔は、前記ベゼル側から貫通孔の中心線部に向かって間隔を広げながら伸びる少なくとも１対の略傾斜線部を備えることを特徴とする光ディスク装置。
【請求項２】
カバーと、
前記カバーに設けられた開口部と、
前記開口部から挿抜自在に設けられたトレイと、
前記トレイに設けられ前記トレイを前記カバーに収納した時に前記開口部を塞ぐベゼルと、
前記トレイに設けられ駆動回路により回転するスピンドルモータと、
前記スピンドルモータと連結するターンテーブルと、
を備えた光ディスク装置であって、
前記カバーは、上カバーおよび下カバーを有し、
前記上カバーは、前記トレイを前記カバーに収納した時に前記ターンテーブルの上端部と対向する位置に貫通孔を有し、
前記貫通孔は、前記ターンテーブル上端部を包含する大きさを有し、
前記貫通孔は、前記ベゼル側で前記ベゼルの長手方向と略並行な直線部と、
前記直線部の両端より貫通孔の中心線部に向かって間隔を広げながら伸びる傾斜線部と、前記両傾斜線の端部より前記ベゼルに対し垂直な方向で、前記ベゼル側から離れる方向に間隔を同一にしながら伸びる直線部と、
前記間隔を同一にしながら伸びる直線部の端部間を連結した円弧と、
を有することを特徴とする請求項１記載の光ディスク装置。
【請求項３】
前記ベゼル側の前記ベゼルの長手方向と略並行な直線部の長さは、前記ターンテーブルの上端部の径よりも短くしたことを特徴とする請求項２記載の光ディスク装置。
【請求項４】
前記上カバーの表側の貫通孔部の形状より前記上カバーの裏側の貫通孔部の形状部を大きい形状としたことを特徴とする請求項１から請求項３のいずれか１項に記載の光ディスク装置。
【請求項５】
前記上カバーの板厚を０．１５ｍｍ〜０．６ｍｍとしたことを特徴とする請求項１から請求項４のいずれか１項に記載の光ディスク装置。
【発明の詳細な説明】
【技術分野】
【０００１】
本発明は、パーソナルコンピュータ等の据え置き型電子機器やノートブックパソコン，携帯型情報端末機器，携帯型映像装置等の携帯型電子機器に好適に用いられる光ディスク装置に関するものである。
【背景技術】
【０００２】
図７、図８はそれぞれ従来の光ディスク装置を示す図である。図７、図８において、１はカバーで、カバー１は上カバー１ａと下カバー１ｂで構成され、カバー１は一方の端部に開口１ｃを有した袋状の構成となっている。カバー１の中には、トレイ２が挿抜自在に保持されており、トレイ２は樹脂材料などの軽量な材料で構成されている。トレイ２にはフロント部分にベゼル３が設けられており、このベゼル３はトレイ２をカバー１内に収納した際に開口１ｃを塞ぐようになっている。ベゼル３にはイジェクトボタン４が表出しており、このイジェクトボタン４を押下することで、図示していない機構によって、カバー１からトレイ２がわずかに飛び出し、トレイ２をカバー１から出し入れ可能となる状態とすることができる。
【０００３】
トレイ２には、開口部５が設けられており、この開口部５から光ピックアップモジュール６の表面が表出するようにトレイ２に取り付けられている。光ピックアップモジュール６には光ディスク９（図５参照）を回転駆動させるスピンドルモータ（図示せず）およびスピンドルモータに連結したターンテーブル７が設けられており、更には、ターンテーブル７に対して近づいたり離れたりするキャリッジ８が移動自在に設けられている。キャリッジ８には、光ディスク９に照射することで、情報を光ディスク９に記録したり、或いは光ディスク９からの反射光によって情報の再生を行ったりする光学装置が搭載されている。
【０００４】
ところで、ノートブックパソコン等の電子機器においては軽量化が望まれており、この電子機器に搭載する光ディスク装置においても電子機器の軽量化の要請に伴って、軽量化が望まれている。
【０００５】
光ディスク装置を軽量化するには、部品点数の削減や、部品の小型化、部品の薄型化などを試みてきてはいるが、様々な種類の光ディスクに対して、全てに有効な特性をもつ光ディスク装置とするには、簡単に部品点数を減らし、部品の小型化、部品の薄型化を実施することは容易ではない。また、各部材を支持するカバー１やトレイ２に搭載する光ピックアップモジュールなどの材料としては、強度を確保するために一般には金属材料で構成されているためこれらの金属材料の重量の低減を図ることが必要である。これらの金属材料の軽量化を目的として、カバーの材料は、軽重量で薄板、薄肉の材料を使い、また軽量化のため貫通孔を設けたりして薄型および軽量化を図っていた。
【０００６】
この分野の文献として例えば（特許文献１）がある。
【特許文献１】特開平９−２３７４５６号公報
【発明の開示】
【発明が解決しようとする課題】
【０００７】
しかしながら、薄肉の材料を使って軽量化し薄型および軽量化を図ると、薄肉の材料の強度が弱くなり電子機器に組み込んだ場合に組み込み時の応力で薄肉材料が変形することがある。またメディア回転による空気の流れで上カバーが光ディスク面側に引き込まれ、この影響で薄板にて構成した上カバー１ａが変形し、上カバー１ａの中央付近では、上カ
バー１ａの周辺部に比較して凹状のたわみが発生する場合があった。
【０００８】
上カバー１ａが変形しても、ターンテーブル７の上端部と上カバー１ａが接触して光ディスクの回転にムラがないように上カバー１ａのターンテーブル７と対向する位置に貫通孔４１を設けている。このため、光ディスクを取り付け、取り外しのためトレイ２をカバー１から飛び出させるときに、貫通孔４１の周辺部とターンテーブル７の頭部とが接触して、ターンテーブル７の頭が貫通孔に入り込んで抜けなくなる場合が起こる課題があった。
【０００９】
上記課題の解決のため（特許文献１）では、移動経路全体で逃しや切り欠きを設けており、薄肉材料の強度が弱くなり、薄肉の材料の補強をしなければならなかった。
【００１０】
本発明は、上記従来の課題を解決するものであり、薄肉材料の補強を考慮することなく上カバー１ａが応力などで変形した場合であっても、トレイ２をカバー１から容易に飛び出させることができる光ディスク装置を提供することを目的としている。
【課題を解決するための手段】
【００１１】
かかる問題を解決するために、本発明は、カバーと、前記カバーに設けられた開口部と、前記開口部から挿抜自在に設けられたトレイと、前記トレイに設けられ前記トレイを前記カバーに収納時に前記開口部を塞ぐベゼルと、前記トレイに設けられ駆動回路により回転するスピンドルモータと、前記スピンドルモータと連結するターンテーブルと、を備えた光ディスク装置であって、前記カバーは、上カバーおよび下カバーを有し、前記上カバーは、前記トレイを前記カバーに収納時に前記ターンテーブルの上端部と対向する位置に貫通孔を有し、前記貫通孔は、前記ターンテーブル上端部を包含する大きさを有し、前記貫通孔は、前記ベゼル側から貫通孔の中心線部に向かって間隔を広げながら伸びる少なくとも１対の略傾斜線部を備える構成とした。
【発明の効果】
【００１２】
本発明は、光ディスク装置の軽量化のために薄肉材料で構成する場合に、トレイをカバーから抜き出す際にカバーが応力などの要因で凹状にくぼんだ場合でも、ターンテーブルと貫通孔形状部が干渉をなくし容易にカバーからトレイを抜き出すことができる光ディスク装置を提供することができる。
【発明を実施するための最良の形態】
【００１３】
請求項１に記載の発明は、カバーと、カバーに設けられた開口部と、開口部から挿抜自在に設けられたトレイと、トレイに設けられトレイをカバーに収納時に開口部を塞ぐベゼルと、トレイに設けられ駆動回路により回転するスピンドルモータと、スピンドルモータと連結するターンテーブルと、を備えた光ディスク装置であって、カバーは、上カバーおよび下カバーを有し、上カバーは、トレイをカバーに収納時にターンテーブルの上端部と対向する位置に貫通孔を有し、貫通孔は、ターンテーブル上端部を包含する大きさを有し、貫通孔は、ベゼル側から貫通孔の中心線部に向かって間隔を広げながら伸びる少なくとも１対の略傾斜線部を備える構成とした。
【００１４】
かかる構成によれば、光ディスクを取り付けたり取りはずしたりするためにカバーからトレイを飛び出させるときに、外部からの応力などで上カバーが凹状にくぼんだ場合でも、少なくとも１対の略傾斜線部にターンテーブルの上端部が接触させることができ、ターンテーブルが貫通孔に入り込みトレイが抜けなくなることのない光ディスク装置を提供できる。
【００１５】
請求項２に記載の発明は、請求項１記載の光ディスク装置において、カバーと、カバー
に設けられた開口部と、開口部から挿抜自在に設けられたトレイと、トレイに設けられトレイをカバーに収納時に開口部を塞ぐベゼルと、トレイに設けられ駆動回路により回転するスピンドルモータと、スピンドルモータと連結するターンテーブルと、を備えた光ディスク装置であって、カバーは、上カバーおよび下カバーを有し、上カバーは、トレイをカバーに収納時にターンテーブルの上端部と対向する位置に貫通孔を有し、貫通孔は、ターンテーブル上端部を包含する大きさを有し、貫通孔は、ベゼル側でベゼルの長手方向と略並行な直線部と、直線部の両端より貫通孔の中心線部に向かって間隔を広げながら伸びる傾斜線部と、両傾斜線の端部よりベゼルに対し垂直な方向で、ベゼル側から離れる方向に間隔を同一にしながら伸びる直線部と、間隔を同一にしながら伸びる直線部の端部間を連結した円弧と、を有する構成とする。
【００１６】
かかる構成によれば、貫通孔を設けた場合でも上カバーの変形を少なくでき、従って上カバーの凹状のたわみを少なくすることができ、カバーからトレイを飛び出させるときに、ターンテーブルが貫通孔に入り込むことがない光ディスク装置を提供できる。
【００１７】
請求項３に記載の発明は、請求項１または請求項２記載の発明において、ベゼル側のベゼルの長手方向と略並行な直線部の長さは、ターンテーブルの上端部の径よりも短くした構成とする。
【００１８】
かかる構成によれば、トレイをカバーから飛び出させる際に、ターンテーブルの上端部がカバーの貫通孔に入り込んだ場合でも、貫通孔に設けた傾斜線部に接触させることができ、さらにターンテーブルが貫通孔に入り込むことがない光ディスク装置を提供できる。
【００１９】
請求項４に記載の発明は、請求項１から請求項３のいずれかに記載の発明において、上カバーの表側の貫通孔部の形状より上カバーの裏側の貫通孔部の形状部を大きい形状としたとした構成とした。
【００２０】
かかる構成によれば、上カバーの貫通孔形状部とターンテーブルの上端部が接触した場合でも、ターンテーブルが貫通孔に入り込むことがない光ディスク装置を提供できる。
【００２１】
請求項５に記載の発明は、請求項１から請求項４のいずれかに記載の発明において、前記上カバーの板厚を０．１５ｍｍ〜０．６ｍｍとした構成とする。
【００２２】
かかる構成によれば、外部からの応力の影響を受けやすい薄肉材料を使用した上カバーに特に有効な効果を得ることができる。
【００２３】
（実施の形態１）
図１、図２はそれぞれ本発明の実施の形態１における光ディスク装置を示す図である。
【００２４】
図１において、１はカバーで、カバー１は上カバー１ａと下カバー１ｂをネジ，接着剤，係止部材などを結合手段の少なくとも一つを用いて構成される。カバー１は、袋状に構成された開口１ｃを有し、トレイ２をカバー１に収納した状態では開口１ｃはベゼル３にて塞がる構成となっている。また、カバー１の内、少なくとも上カバー１ａ（当然下カバー１ｂの場合も含む）は、軽量な金属材料を含む板材或いは薄板材で構成されており、軽量な金属材料として、アルミ，アルミ合金，マグネシウム合金，チタン，チタン合金などが好適に用いられ、それら材料の少なくとも一つで構成された板材を加工して上カバー１ａが構成される。また、実施の形態１では、特にコスト面や特性面を考慮してアルミ或いはアルミ合金を用いた。また、他の実施の形態としては、上記軽量な金属材料で構成された板材を互いに接合して多層構造としても良い。例えば、アルミの薄板とアルミ合金の薄板を接合して上カバー１ａを構成しても良いし、アルミの薄板と他の金属材料を主成分と
する薄板を複数枚積層して構成しても良い。また、樹脂シート或いは樹脂板の両主面上にニッケルやニッケル合金で構成された薄板を貼り付けた複合軽量板を用いても良い。
【００２５】
また、少なくとも上カバー１ａの板厚は０．１５ｍｍ〜０．６ｍｍとすることが好ましく、０．１５ｍｍより薄い場合には、非常に機械的強度が低下し、不具合が生じる可能性があり、０．６ｍｍよりも厚くすると、軽量化を行うことが困難となる。
【００２６】
また、図２に示すように、上カバー１ａにはトレイ２をカバー１に収納した場合にターンテーブル７と対向するように、貫通孔４１を設けている。さらに上カバー１ａの表面には、貫通孔４１を塞ぐフィルタ部材４２で覆っている。
【００２７】
貫通孔４１はできるだけ小さい形状とすれば、薄型材料を用いても、据え置き型パーソナルコンピュータや、ノート型パーソナルコンピュータに取り付ける際の応力による変形や、光ディスク９の回転に伴う空気の流れで上カバー１ａが引き込まれて変形することを減らすことができる。
【００２８】
図３〜図５は、それぞれ本発明の実施の形態１における貫通孔形状部を示す図である。
【００２９】
図３に示すように、トレイ２をカバー１に収納した状態で、上カバー１ａのターンテーブル７に対向した位置に貫通孔４１を設けている。貫通孔４１の形状は、ターンテーブル７の頭部を包含する大きさとしており、上カバー１ａが光ディスクの回転に伴う空気の流れで光ディスク９側に引き込まれても上カバー１ａとターンテーブル７は接触しない構造としている。
【００３０】
貫通孔４１の長手方向の長さのセンター位置である中心線部Ｃ２は、トレイ２がカバー１から飛び出させるときに、ターンテーブル７の上端部がカバー１に設けた貫通孔４１に入り込みにくくするため、ターンテーブル７のセンター位置である中心線部Ｃ１よりトレイ２がと抜け出る方向に構成している。すなわち、ターンテーブル７のセンターと貫通孔のベゼル３と反対側の長さＬ１，ターンテーブル７のセンターと貫通孔形状部のベゼル側の端部の長さＬ２として、Ｌ２＞Ｌ１なる関係としている。貫通孔４１の長さは、Ｌ１を６〜１０ｍｍ、Ｌ２を１０〜１４ｍｍに設定している。
【００３１】
さらに、貫通孔４１は、ベゼル３側でベゼル３の長手方向と略並行な略直線部５２と、略直線部５２の両端より貫通孔の中心線部Ｃ２に向かって間隔を広げながら伸びる傾斜線部５１、５３と、傾斜線部５１、５３の端部よりベゼル３に対し垂直な方向で、ベゼル３側から離れる方向に間隔を同一にしながら伸びる直線部５０，５４と、直線部５０，５４の端部間を連結した円弧５５で構成している。
【００３２】
ここで略直線部５２は設けなくてもよいが、上カバー１ａの中央部の変形を抑える効果があり、略直線部を設けたが望ましい。
また、傾斜線部５１，５３は、貫通孔の中心線部Ｃ２に向かって間隔を広げながら伸びる構成としているが、傾斜線部５１，５３は中心線方向に向かって伸びていればよく、中心線部Ｃ２まで届かなくても、また中心線部Ｃ２を超えてもよい。
【００３３】
略直線部５２の長さは、ターンテーブル７の上部の径より短くし、従って３ｍｍ〜１３ｍｍで設定している。３ｍｍより短いと上カバー１ａの変形を小さくする効果が少ない。また１３ｍｍより長いと、ターンテーブル７と貫通孔４１に入り込みやすくなる。
【００３４】
また、トレイ２をカバーに挿入する方向、すなわちベゼル２と反対側の貫通孔４１の形状部Ｔ１、すなわち本実施の形態１では、円弧５５はできるだけターンテーブル７に沿っ
た形状とし、また、略直線部５２と連結して傾斜線部５１，５３を備えており、トレイ２が抜け出る際には、上カバー１ａが、外部の応力や光ディスク９の回転に伴って光ディスク９面側引き込まれくぼんだ場合でも、最悪この傾斜線部５１，５３にターンテーブル７が先に接触するようにしており、上カバー１ａの最も光ディスク面へ変形している個所を避けた構成としている。さらに、傾斜線部５１，５３は、ターンテーブル７の半径よりも曲率の大きい円弧としている。傾斜線部５１，５３は直線でもよいし、さらに円弧の中心が貫通孔４１の外側に設定してもよい。
【００３５】
また、図４に示すように、上カバー１ａの裏側の貫通孔４１ｂの形状は、前記上カバー１ａの表側の貫通孔４１ａの形状に対して大きい形状としており、ターンテーブル７の上端部が、上カバー１ａに設けられた貫通孔４１とターンテーブル７の上部が触れても貫通孔４１から抜け出やすい構成としている。
【００３６】
図５に示すように、ターンテーブル７の上部は、上カバー１ａを干渉しない位置で取り付けている。しかしながら構成上カバー１ａは軽量化を図るために薄型材料としており、パーソナルコンピュータ本体にビスなどで取り付けた際の応力の影響や、光ディスク９の回転に伴う空気の流れで上カバー１ａが光ディスク９側に引き込まれ、図５（ａ）の点線１ａ‘で示すように上カバー１ａが裏側方向にたわみができる。
【００３７】
この状態で、光ディスク装置のベゼル３に設けたイジェクトボタン４を押した場合にターンテーブル７の上部が貫通孔４１に入り込むことを避けるため、トレイ２をカバー１から抜く動作を行うと図５（ｂ）に示すように傾斜線部５１、および傾斜線部５３の位置でターンテーブル７と貫通孔４１が接触する構成としたため、凹みの大きい直線部５２を避けることができる。
【００３８】
また、図２に示すように、上カバー１ａの表面には、貫通孔４１を塞ぐようにフィルタ部材４２で覆っている。フィルタ部材４２は、貫通孔４１からゴミや埃が入り込むのを防止するとともに、光ディスク装置の銘板としての機能の双方の用途の機能を備えている。
【００３９】
なお、本実施の形態１では、直線部５０，５４は、傾斜線部５１，５３から間隔を同一とした構成としたが、図６（ａ）のように直線部５０，５４はなくてもよく、また図６（ｂ）のように、傾斜線部５１，５３からべつの角度の傾斜線としてもよい。また、傾斜線部５１および傾斜線部５３がターンテーブル７の中心線に沿って対称な形状で説明したが、図６（ｃ）に示すように傾斜線部５１，５３が異なる傾きで構成してもよい。
【産業上の利用可能性】
【００４０】
本発明は、小型軽量化が光ディスク装置に利用することができ、薄肉材料にてカバーを構成しても容易に光ディスクをカバーから容易に取り出すことができる光ディスク装置を実現することができる。
【図面の簡単な説明】
【００４１】
【図１】本発明の実施の形態１における光ディスク装置を示す図
【図２】本発明の実施の形態１における光ディスク装置を示す図
【図３】本発明の実施の形態１における貫通孔形状部を示す図
【図４】本発明の実施の形態１における貫通孔形状部を示す図
【図５】本発明の実施の形態１における貫通孔形状部を示す図
【図６】本発明の別の実施の形態における貫通孔形状部を示す図
【図７】従来の光ディスク装置を示す図
【図８】従来の光ディスク装置を示す図
【符号の説明】
【００４２】
１    カバー
２    トレイ
３    ベゼル
４    イジェクトボタン
５    開口部
６    光ピックアップモジュール
７    ターンテーブル
８    キャリッジ
９    光ディスク
４１    貫通孔
４２    フィルタ部材
５１    傾斜線部
５２    略直線部
５３    傾斜線部
【図１】
2006085798.tif 000003
【図２】
2006085798.tif 000004
【図３】
2006085798.tif 000005
【図４】
2006085798.tif 000006
【図５】
2006085798.tif 000007
【図６】
2006085798.tif 000008
【図７】
2006085798.tif 000009
【図８】
2006085798.tif 000010